(57)【要約】【課題】遊技者の求める当りの発生を、従来に無い斬新な報知により遊技者に予見させ、遊技の興趣性を向上し得るパチンコ遊技機を提案する。【解決手段】賞球の払い出しに合わせて払出擬似ベル音を発生させると共に、予見条件が成立した場合に、未消化の特別始動記憶を当落判定した結果に当りがあると、予見終了条件が成立するまでの間で、始動口への遊技球流入に伴って、払出擬似ベル音と出力態様の異なる予見電子音を発生させるようにしたものである。かかる構成によれば、払出擬似ベル音によって、賞球という利益獲得による遊技者の満足感や喜悦感を効果的に高めることができると共に、予見電子音の発生によって、当り発生を望む遊技者の期待感を聴覚を介して刺激して、従来に無い斬新かつ興趣溢れる遊技を提供できる。【選択図】図４
2016083183.tif 000002
【特許請求の範囲】
【請求項１】
特別図柄を表示する図柄表示装置と、
遊技球を検知する球検知手段を備えた始動口と、
始動口の球検知手段が遊技球を検知することにより、所定数を上限として始動記憶を生成して記憶する始動記憶生成手段と、
前記始動口の球検知手段による遊技球検知に伴って、所定個数の賞球を払い出す払出制御手段と、
未消化の始動記憶を順次消化することにより、図柄表示装置で特別図柄を変動し、その停止図柄態様によって当り又はハズレを確定する図柄制御手段と、
特別図柄の停止図柄態様により当り確定した場合に、大入賞口を所定態様で開閉する特別遊技作動を実行する遊技制御手段と
を備えたパチンコ遊技機において、
前記始動口の球検知手段による遊技球検知に伴って、予め設定された払出擬似ベル音を発生させる払出音発生制御手段と、
前記始動記憶生成手段により記憶されている未消化の始動記憶を、その消化前に当落判定する先読み判定手段と
を備え、
前記払出音発生制御手段は、所定の予見条件が成立した場合に、前記先読み判定手段による始動記憶の当落判定結果が当りであると、所定の予見終了条件が成立するまでの間で、前記始動口の球検知手段による遊技球検知に伴って、常態の払出擬似ベル音と出力態様の異なる予見電子音を発生させる処理内容を備えていることを特徴とするパチンコ遊技機。
【請求項２】
払出音発生制御手段は、所定の予見条件が成立した場合に、先読み判定手段による始動記憶の当落判定結果が当りであると、該始動記憶の消化順番に対応付けて設定された複数の予見電子音のなかから、当該当り判定した始動記憶の消化順番に対応する予見電子音を選択し、該選択した予見電子音を、始動口の球検知手段による遊技球検知に伴って発生させるようにしたものであることを特徴とする請求項１に記載のパチンコ遊技機。
【請求項３】
予見条件は、未消化の始動記憶を記憶した未消化数が所定の閾個数値に達した場合に成立することに設定され、
予見終了条件は、前記未消化数が前記閾個数値を下回った場合に成立することに設定されていることを特徴とする請求項１又は請求項２に記載のパチンコ遊技機。
【請求項４】
先読み判定手段は、未消化の始動記憶を当落判定した結果がハズレであると、該始動記憶の消化によりリーチ演出するか否かを先読みする処理内容を備え、
払出音発生制御手段は、
先読み判定手段が未消化の始動記憶を全てハズレと判定し且つ少なくとも一つの始動記憶をリーチ演出すると判定した場合にも、所定の予見終了条件が成立するまでの間で、前記始動口の球検知手段による遊技球検知に伴って予見電子音を発生させるようにしたものであることを特徴とする請求項１乃至請求項３のいずれか１項に記載のパチンコ遊技機。
【発明の詳細な説明】
【技術分野】
【０００１】
本発明は、始動口への遊技球入賞に伴って、特別図柄を変動すると共に、所定個数の賞球を払い出すパチンコ遊技機に関する。
【背景技術】
【０００２】
パチンコ遊技機としては、始動口に遊技球が流入したことを契機として、特別図柄を変動して停止し、その停止図柄態様により当りが確定した場合に、大入賞口を開閉する特別遊技作動を実行する構成のものが広く知られている（例えば、特許文献１）。そして、始動口や大入賞口に遊技球が流入することによって、賞球が払い出される。ここで、大入賞口への遊技球流入により払い出される賞球の個数は、始動口の場合に比して多いことから、特別遊技作動が実行されることにより、遊技者は大きな利益を獲得することができる。そのため、通常、特別図柄の停止図柄態様による当り確定を、遊技者は強く望みながら遊技を行っている。
【０００３】
一般的なパチンコ遊技機には、特別図柄を疑似的に示す画像等の演出図柄を表示する画像表示器や、始動記憶の記憶数（未消化数）を報知する始動記憶数表示装置などを備えている。ここで、始動記憶数表示装置では、始動記憶の記憶数と同数の保留標識を表示して、該保留標識の表示数によって始動記憶の記憶数を報知するようにした構成が広く知られている。尚、こうした始動記憶の記憶数には、上限が設定されており、該記憶数が上限に達している状態で、始動口に遊技球が流入した場合には、賞球は払い出されるものの、新たな始動記憶が記憶されない。
【０００４】
ところで、上述したように始動記憶の記憶数に上限が設定されている構成にあって、未消化の始動記憶をその消化前に当落判定し、当り判定した始動記憶があると、当り発生を遊技者に予見させる報知を行うようにした構成が提案されている。こうした構成では、当りを予見させる報知を、画像表示器で所定の予見画像を表示したり、始動記憶数表示装置で保留標識の表示態様を変化させること等によって実施している。
【先行技術文献】
【特許文献】
【０００５】
【特許文献１】特開２００３−３３４３３２号公報
【発明の概要】
【発明が解決しようとする課題】
【０００６】
上述した従来のパチンコ遊技機にあって、当りを予見させる報知を、画像表示器で表示する予見画像や、始動記憶数表示装置で表示する保留標識の表示態様を変化させることによって行う構成では、前記予見画像や保留標識の表示態様の変化を遊技者が視認することにより、当り発生を期待する遊技者の感情を刺激でき、遊技の興趣性を向上できるという効果を奏し得る。しかしながら、画像表示器で表示する画像による予見報知や、始動記憶数表示装置で保留標識の表示態様を変化させる予見報知は、従来から様々に工夫されて実行されていることから、その効果に限界が生じている。そのため、当りの発生を予見させる予見報知として、従来に無い斬新な報知を行うことが希求されている。
【０００７】
本発明は、遊技者の求める当りの発生を、従来に無い斬新な報知により遊技者に予見させ、遊技の興趣性を向上し得るパチンコ遊技機を提案するものである。
【課題を解決するための手段】
【０００８】
本発明は、特別図柄を表示する図柄表示装置と、遊技球を検知する球検知手段を備えた始動口と、始動口の球検知手段が遊技球を検知することにより、所定数を上限として始動記憶を生成して記憶する始動記憶生成手段と、前記始動口の球検知手段による遊技球検知に伴って、所定個数の賞球を払い出す払出制御手段と、未消化の始動記憶を順次消化することにより、図柄表示装置で特別図柄を変動し、その停止図柄態様によって当り又はハズレを確定する図柄制御手段と、特別図柄の停止図柄態様により当り確定した場合に、大入賞口を所定態様で開閉する特別遊技作動を実行する遊技制御手段とを備えたパチンコ遊技機において、前記始動口の球検知手段による遊技球検知に伴って、予め設定された払出擬似ベル音を発生させる払出音発生制御手段と、前記始動記憶生成手段により記憶されている未消化の始動記憶を、その消化前に当落判定する先読み判定手段とを備え、前記払出音発生制御手段は、所定の予見条件が成立した場合に、前記先読み判定手段による始動記憶の当落判定結果が当りであると、所定の予見終了条件が成立するまでの間で、前記始動口の球検知手段による遊技球検知に伴って、常態の払出擬似ベル音と出力態様の異なる予見電子音を発生させる処理内容を備えていることを特徴とするパチンコ遊技機である。
【０００９】
ここで、先読み判定手段による始動記憶の当落判定は、予見条件の成立に伴って行うようにしても良いし、該予見条件の成立に関係無く行うようにしても良い。後者の場合には、例えば、始動記憶を記憶する毎（未消化の始動記憶を発生する毎）に、該始動記憶の当落判定を行うようにすることができる。
また、払出音発生制御手段により発生させる払出擬似ベル音は、かなり過去のパチンコ遊技機の払出口に配設されていたベルに遊技球が当たって発生するベル音を、電子音により擬似的に再現させた音が好適である。尚、かなり過去のパチンコ遊技機は、近年の構成に比して、機械的に作動する部品が多く配設され、賞球の払出口にベル（鈴）が配設されていた。そのため、賞球の払い出しの際に、このベルに遊技球が当たることによって、ベル音（払出音）が発生していた。これに対して、近年の構成は、電子制御（コンピュータ制御）により遊技を進行していく構成がほとんどであり、その構造上、前記したベルを配設するスペースが無く、該ベルが設けられていない。そのため、本発明の構成では、前記ベル音を払出擬似ベル音により発生させるようにしている。
また、予見電子音としては、払出擬似ベル音と出力態様が異なるものであれば良く、この「出力態様が異なる」には、音の出力間隔が異なること、音の出力回数が異なること、音質が異なること、音自体が全く異なること等があり、いずれを適用しても良いし、いずれかを選択して適用するようにしても良い。
【００１０】
かかる構成にあっては、始動口への遊技球流入により発生する賞球の払い出しに合わせるように、払出擬似ベル音が発生するようにしたものであり、該払出擬似ベル音の発生によって、遊技者は賞球の払い出しを、目視すること無く、該賞球の払い出しとほぼ同時に知ることができる。ここで、払出擬似ベル音は、ベル音を擬似的に再現した電子音であることから、上記したベルを配設する必要が無く、払出口にベルの配設スペースの無い近年の構成にあっても適用できる。こうした払出擬似ベル音の発生によって、演出画像を表示する画像表示器を注視する遊技者に、賞球が払い出された事実を報知できる。そして、賞球という利益の獲得を知得することによって遊技者の満足感や喜悦感を刺激することもできる。また、払出擬似ベル音は、始動口に遊技球が流入したことを間接的に遊技者に報知する性質も有している。そのため、賞球の払い出しにより払出擬似ベル音を遊技者が聞き取ることによって、始動口への遊技球流入を直接視ていなくとも、新たな始動記憶が発生したことを知得できる。すなわち、遊技者は、遊技中に画像表示器を注視していながら、払出擬似ベル音を聞き取ることによって始動記憶の発生をはっきりと知ることができる。
【００１１】
さらに、本発明の構成にあっては、未消化の始動記憶を先読みして当り判定した場合に、始動口に遊技球が流入すると、その賞球の払い出しに合わせるように予見電子音を発生させるようにしたものであり、該予見電子音の発生によって、未消化の始動記憶のなかに当りとなる始動記憶があることを遊技者に予見させ得る。そして、賞球に合わせて発生する予見電子音による予見報知は、始動口への遊技球流入を必要とし且つ遊技者の聴覚に訴えるものであることから、従来に無い斬新な報知であると言える。一方、予見電子音は、賞球の払出音であることから、遊技の進行に従って画像表示器で表示される様々な演出画像とは直積的に関係無く発生することから、遊技者が注視する演出画像と独立して発生する。すなわち、遊技者が演出画像等に注視している状態で突然に予見電子音が発生することから、唐突感やびっくりする感情などを遊技者に想起させ易く、該遊技者の感情を刺激する効果が高い。さらには、予見電子音による当り予見を求める遊技者に、演出画像等を注視する状態であっても、該予見電子音を聞き逃したり聞き漏らしたりすることがないように、賞球の払出音を意識させることができる。特に、予見電子音は、賞球の払い出しの際に発生するだけであることから、仮に遊技者が聞き逃したり、聞き漏らしたりする等、うまく聞き取れなかった場合には、予見終了条件が成立するまでの間に、再び遊技球を始動口に入賞させる必要が生ずる。そのため、遊技者の注意を、賞球の払出音に向けさせる効果が高い。こうしたことから、遊技の進行中に、遊技者に視覚と聴覚との両方を意識させるという、従来に無い興趣溢れる遊技を提供できる。
【００１２】
また、本発明の構成は、換言すれば、前記先読みによって当り判定した場合にあっても、始動口に遊技球が流入しなければ、予見電子音が発生しないことから、当りを予見することができない。このように本発明の構成は、当り予見に、始動口への遊技球の流入が必須要件となっている。そのため、当りを予見することを求める遊技者に、始動口への遊技球流入のために遊技球の発射を効果的に促すことができる。これは、遊技者による遊技球の発射停止行為を抑制する効果を奏することから、該発射停止行為による機台の稼働率低下を防止することができる。
【００１３】
上述した本発明のパチンコ遊技機にあって、払出音発生制御手段は、所定の予見条件が成立した場合に、先読み判定手段による始動記憶の当落判定結果が当りであると、該始動記憶の消化順番に対応付けて設定された複数の予見電子音のなかから、当該当り判定した始動記憶の消化順番に対応する予見電子音を選択し、該選択した予見電子音を、始動口の球検知手段による遊技球検知に伴って発生させるようにした構成が提案される。尚ここで、払出音発生制御手段は、所定の予見条件が成立した場合に発生させる予見電子音を、始動記憶の消化順番に対応して選択した予見電子音とするものである。
【００１４】
かかる構成によれば、予見電子音によって、複数の始動記憶のなかで当り予見させる始動記憶を特定できるため、遊技者の期待感を刺激するという上述した本発明の作用効果を一層向上できる。そして、予見電子音による当り予見を求める遊技者の注意を、賞球の払出音に一層意識させることができる。
【００１５】
上述した本発明のパチンコ遊技機にあって、予見条件は、未消化の始動記憶を記憶した未消化数が所定の閾個数値に達した場合に成立することに設定され、予見終了条件は、前記未消化数が前記閾個数値を下回った場合に成立することに設定されている構成が提案される。
【００１６】
かかる構成にあっては、始動記憶の未消化数が閾個数値以上である間で、始動口に遊技球が流入すると、予見電子音が発生することから、当り予見を求める遊技者は、始動記憶の未消化数を閾個数値以上とするために、始動口に遊技球を流入させようとする気持ちが強くなる。そのため、始動口への遊技球入賞という遊技に、当り予見という新たな遊技性を強く生じさせることができ、遊技の興趣性を一層向上できる。
【００１７】
ここで、閾個数値を、始動記憶を記憶できる上限または上限近くの所定個数に設定することにより、始動記憶の未消化数が貯まっている状態でも、遊技球の発射を促すことができる。そのため、遊技球の発射停止行為を抑制する作用効果が一層向上する。
【００１８】
上述した本発明のパチンコ遊技機にあって、先読み判定手段は、未消化の始動記憶を当落判定した結果がハズレであると、該始動記憶の消化によりリーチ演出するか否かを先読みする処理内容を備え、払出音発生制御手段は、先読み判定手段が未消化の始動記憶を全てハズレと判定し且つ少なくとも一つの始動記憶をリーチ演出すると判定した場合にも、所定の予見終了条件が成立するまでの間で、前記始動口の球検知手段による遊技球検知に伴って予見電子音を発生させるようにしたものである構成が提案される。
【００１９】
かかる構成にあっては、リーチ演出するという判定をした場合にも予見電子音を発生させるようにしたから、リーチ演出する始動記憶に対しても当り予見させることができ、例え当り判定する始動記憶が無い場合にも、上述した本発明の作用効果を奏することができる。尚、本構成にあっては、上述した当り判定した場合と同様、リーチ演出する判定をした場合に、上述したように該リーチ演出する判定をした始動記憶の消化順番に対応する予見電子音を選択して発生することができる。さらに、始動記憶の未消化数が閾個数値以上であるか否かによって、予見条件と予見終了条件とを設定するようにもできる。
【発明の効果】
【００２０】
本発明の構成によれば、賞球の払い出しに合わせて払出擬似ベル音が発生することから、遊技中に遊技領域を注視する遊技者に、賞球の発生を知らせることができ、該賞球という利益獲得により遊技者の満足感や喜悦感を効果的に高めることができる。また、未消化の始動記憶を先読みした結果が当りである場合に、始動口への遊技球流入に伴って払出擬似ベル音と出力態様が異なる予見電子音を発生するようにしたから、当り発生を望む遊技者の期待感を該遊技者の聴覚を介して刺激できるという、従来に無い斬新かつ興趣溢れる遊技を提供することができ、当りを予見させる遊技の興趣性を向上することができる。
【図面の簡単な説明】
【００２１】
【図１】パチンコ遊技機１の斜視図である。
【図２】遊技盤１０の正面図である。
【図３】遊技を制御する制御回路を示すブロック図である。
【図４】入賞検知処理を示すフロー図である。
【図５】特別図柄処理を示すフロー図である。
【図６】先読み判定処理を示すフロー図である。
【発明を実施するための形態】
【００２２】
本発明にかかる実施例を、添付図面を用いて説明する。
パチンコ遊技機１は、図１に示すように、遊技島設備（図示省略）に固定される外枠２と、この外枠２の前面開口部を覆う遊技機本体３とからなる。遊技機本体３は、中央上部の略円形の開口部に遊技盤１０（図２参照）が取り付けられた前枠５を備え、この前枠５の一側縁がヒンジ部材４を介して外枠２に開閉可能に枢着されている。さらに前枠５には、遊技盤１０を覆うガラス板（図示せず）を備えた前扉６が開閉可能に枢着されている。また、前枠５の下部には、上球受皿７と下球受皿８とが上下に列設されており、下球受皿８の右側方に発射ハンドル９が突設される。
【００２３】
上記の上球受皿７には、その内部左側に賞球や貸球が払い出される払出口（図示せず）が開口し、内部右端に遊技球を流入させる流入口（図示せず）が開口している。この流入口を介して、上球受皿７内の遊技球が後述する球発射装置３１（図３参照）に供給される。また、上記の下球受皿８には、その内部に球放出口（図示せず）が開口しており、上球受皿７が満杯の場合に、該球放出口から遊技球が放出される。
【００２４】
上記した遊技盤１０の前面には、図２のように、ガイドレール１１が取り付けられており、該ガイドレール１１によって略円形の遊技領域１２と、上記の球発射装置３１から発射された遊技球を該遊技領域１２に案内する案内通路２０とが区画形成される。この案内通路２０の下部入口に臨むように、上記した球発射装置３１の発射レールが配設されており、該球発射装置３１から発射された遊技球が案内通路２０を通過して遊技領域１２へ入る。
【００２５】
遊技領域１２の中央には、画像表示器１４等の各種遊技部材を組み込んだセンターケース１３が配設される。画像表示器１４は、液晶表示器又はＣＲＴ表示器等からなり、その表示画面には各種演出画像等が表示される。センターケース１３の右上部には、六個のＬＥＤからなる特別図柄表示装置１５が配設される。この特別図柄表示装置１５は、六個のＬＥＤの点灯態様によって特別図柄を表示するものであり、後述するように、所定契機となると、各ＬＥＤを点滅させることにより特別図柄を変動させ、点滅後にいずれかのＬＥＤが点灯することにより特別図柄を停止表示する。本実施例では、右下端のＬＥＤのみを点灯した態様が「ハズレ」を示す停止図柄態様であり、それ以外のＬＥＤを点灯した態様が「当り」を示す停止図柄態様として設定されている。そして、特別図柄表示装置１５の各ＬＥＤを点滅後に点灯した特別図柄の停止図柄態様が前記「当り」を示すものであると、所謂「大当り」が確定して、後述する特別遊技作動を実行する。
【００２６】
センターケース１３の右下部には、図２のように、二個のＬＥＤからなる普通図柄表示装置１６が配設されており、該普通図柄表示装置１６は、各ＬＥＤの点灯態様によって普通図柄を表示する。この普通図柄表示装置１６は、センターケース１３の左側に配設された普通始動ゲート１９を遊技球が通過することにより、該普通始動ゲート１９に設けられた普通始動スイッチＳ２が遊技球を検知し、この検知に伴って各ＬＥＤを点滅して普通図柄を変動する。その後、いずれかのＬＥＤを点灯することにより普通図柄を停止する。上側のＬＥＤのみが点灯した態様が「当り」を示す停止図柄態様、上下のＬＥＤが点灯した態様が「ハズレ」を示す停止図柄態様に設定されており、当り停止図柄態様で停止表示された場合に、普通図柄を当り確定し、ハズレ停止図柄態様で停止表示された場合に、普通図柄をハズレ確定する。そして、普通図柄を当り確定すると、後述の普通電動役物２３を開放作動する。
【００２７】
画像表示器１４の直下には、特別図柄の始動記憶（以下、特別始動記憶）の未消化数（記憶数）を報知する特別始動記憶数表示装置１７が配設されている。特別始動記憶数表示装置１７は、四個のＬＥＤから構成され、該ＬＥＤの点灯数によって、特別始動記憶の未消化数を報知する。また、特別始動記憶数表示装置１７の左側方には、普通図柄の始動記憶（以下、普通始動記憶）の未消化数を報知する普通始動記憶数表示装置１８が配設されている。普通始動記憶数表示装置１８は、四個のＬＥＤから構成され、該ＬＥＤの点灯数によって、普通始動記憶の未消化数を報知する。
【００２８】
また、センターケース１３の下方には、図２のように、遊技球を流入可能とする始動口２１を備えた普通電動役物２３が配設されている。この始動口２１の内部には、遊技球を検知する特別始動スイッチＳ１が配設されており、該始動口２１に流入した遊技球を検知することによって特別図柄の特別始動記憶を発生して、該特別始動記憶の消化により特別図柄表示装置１５のＬＥＤを点滅して特別図柄を変動開始する。また、この遊技球を検知することにより球検知信号を出力し、この球検知信号に基づいて所定数の賞球が払い出される。この普通電動役物２３には、始動口２１の開口幅を変化させる左右一対の開閉翼片２４，２４と、該開閉翼片２４，２４を開閉作動する普通電動役物ソレノイドとを備えており、該開閉翼片２４，２４を、始動口２１への遊技球流入が困難な閉鎖位置と、流入容易な開放位置とに位置変換作動する。この開閉翼片２４，２４は、常態で閉鎖位置にあり、上記した普通図柄表示装置１６で普通図柄が当り確定した場合に、閉鎖位置から開放位置へ開放作動する。
【００２９】
さらに普通電動役物２３の直下かつアウト口２８の直上方位置には、大入賞口２５を有する特別電動役物２６が配設されている。この特別電動役物２６は横長矩形状の開閉片２７を具備している。開閉片２７は内蔵する特別電動役物ソレノイドにより開閉制御され、これによって大入賞口２５が開放状態と閉鎖状態に繰り返し変換される。また、特別電動役物２６の内部には入賞した遊技球を検知する特別入賞スイッチＳ３が設けられている。また、この遊技球を検知することにより球検知信号を出力し、この球検知信号に基づいて所定数の賞球が払い出される。
【００３０】
また、特別電動役物２６の両側には二個の一般入賞装置２９が配設されており、遊技球が一般入賞装置２９に入賞すると、一般入賞装置２９に内蔵された一般入賞スイッチＳ４が球検知信号を出力し、かかる球検知信号に基づいて所定数の賞球が払い出される。
【００３１】
次に、本実施例のパチンコ遊技機１の制御回路を、図３を参照して説明する。
制御回路には、主制御基板６０、演出制御基板６２、図柄制御基板６３、払出制御基板６４、発射制御基板６８が配設されている。主制御基板６０は、マイクロコンピュータにより構成されており、パチンコ遊技機１の遊技を統括的に制御するものである。
【００３２】
主制御基板６０には、各種スイッチなどからの入力信号に従って演算処理を実行して所定の指令信号を出力する主制御用中央制御装置ＣＰＵ、演算処理に用いる制御プログラム等を格納する記憶装置ＲＯＭ、必要なデータを随時読み書き可能な記憶装置ＲＡＭが、データを読み書きするアドレスを指定する情報を一方的に伝えるアドレスバス（図示省略）と、データのやり取りを行うデータバス（図示省略）とを介して接続され、主制御基板６０の基板回路を構成している。前記記憶装置ＲＯＭには、制御プログラムや、抽選データを参照して当落判定や図柄の変動・停止態様、演出態様等を決定するための各種テーブルが格納されている。一方、記憶装置ＲＡＭには、各種球検知スイッチからの球検知信号等が一時的に記憶される記憶エリア、各種のタイマや乱数カウンタ、計数カウンタ等を構成するレジスタ領域、及びワークエリア等が設けられている。
【００３３】
ここで、主制御基板６０の記憶装置ＲＡＭの記憶領域に設けられる各乱数カウンタについて説明する。
大当りカウンタは０〜２９９の範囲の値を取るものであり、普通電動役物２３の始動口２１へ流入した遊技球を特別始動スイッチＳ１により検知すると、その時点の大当りカウンタの値が抽出される。そして、抽出された大当りカウンタ値は、予め定められた当選値と比較され、該当選値と一致していた場合には「大当り（特別図柄の当選）」となり、不一致であった場合には「ハズレ」となる。
【００３４】
リーチカウンタ値は０〜９９の範囲の値を取るものであり、上記の大当りカウンタと同様に始動口２１に流入した遊技球を特別始動スイッチＳ１が検知した時点でリーチカウンタの値が抽出される。上記大当りカウンタ値の判定結果が「ハズレ」である場合に、抽出されたリーチカウンタの抽出値が、予め定められたリーチ判定値と一致するか否かによってリーチ演出を行うか否かを決定する。
【００３５】
上記した大当りカウンタやリーチカウンタの他にも、特図カウンタや変動態様カウンタなどが夫々設定されており、大当りカウンタと同様に、特別始動スイッチＳ１が遊技球を検知した時点で各カウンタ値が抽出される。特図カウンタの抽出値によって当選種類を決定し、変動態様カウンタの抽出値によって、画像表示器１４で表示する特別演出画像の画像パターンを決定する。こうした大当りカウンタ、特図カウンタ、リーチカウンタ、変動態様カウンタなどから夫々抽出された各カウンタの抽出値は、一個のデータ集合体として纏められて記憶装置ＲＡＭに保持される。このデータ集合体により、上記した特別始動記憶が実現されている。
【００３６】
さらに、普通当りカウンタも設定されており、上記した普通始動ゲート１９を通過した遊技球を普通始動スイッチＳ２が検知した場合に、その時点で抽出される。普通当りカウンタの抽出値（普通当りカウンタ値）は、予め定められた当選値と比較されることにより当落判定されて、一致した場合に「当り（普通図柄の当選）」となり、不一致の場合に「ハズレ」となる。普通当りカウンタ値は、抽出されると、一個の始動記憶として記憶装置ＲＡＭに保持され、該始動記憶により、上記した普通始動記憶が実現されている。
【００３７】
また、主制御基板６０の基板回路には、所定のクロックパルスを出力するクロック装置（図示省略）が設けられ、主制御用中央制御装置ＣＰＵに接続されている。そして主制御用中央制御装置ＣＰＵは、一定間隔のクロックパルスによって時系列的に演算処理を行い、一連の処理作動を順次実行する。また、このクロック装置により出力されたクロックパルスをカウントして、時間を計測するタイマＴＭも接続されている。
【００３８】
主制御用中央制御装置ＣＰＵ、及び後述する各制御基板６２〜６８に設置される各中央制御装置ＣＰＵは、所定のデータの処理を行う演算ユニット（ＡＬＵ）を連成した演算装置と、この演算装置に入出力するデータや読み込んだ命令を保管しておくレジスタと、命令を解読するデコーダ等によって構成されている。そして、この主制御用中央制御装置ＣＰＵは、所定の形式で生成したデータ信号又はコマンド信号を四つの制御基板６２，６３，６４，６８へ出力し、これらの制御基板６２，６３，６４，６８の中央制御装置ＣＰＵがこのデータ等に従って所定の制御を処理実行することとなる。
【００３９】
また、この主制御基板６０の基板回路には、主制御用中央制御装置ＣＰＵが周辺機器とデータ通信を行う入力ポート（図示省略）及び出力ポート（図示省略）が設けられており、この出力ポートを介して主制御基板６０からのコマンド信号が、演出制御基板６２、図柄制御基板６３、払出制御基板６４、および発射制御基板６８の各入力ポートに向け出力される。また、主制御基板６０の入力ポートには、盤面中継基板６１を介して、上記した特別始動スイッチＳ１、普通始動スイッチＳ２、特別入賞スイッチＳ３、一般入賞スイッチＳ４等が接続されている。そして、主制御基板６０は、所定時間毎（例えば２ｍｓ毎）に、これら各スイッチＳ１〜Ｓ４の遊技球検出状態を調べ、信号入力があるとその信号が波形整形回路により波形整形されて中央制御装置ＣＰＵに入力され、その情報を記憶装置ＲＡＭに記憶する。また、主制御基板６０の出力ポートには、盤面中継基板６１を介して普通電動役物２３や特別電動役物２６等に内臓されたソレノイドやモータが接続されており、主制御用中央制御装置ＣＰＵが所定の条件を選出した場合に、これらソレノイドやモータを駆動させる。
【００４０】
上記の演出制御基板６２には、パチンコ遊技機１で実行される演出全般を制御するための基板回路が設けられる。この基板回路は、演出を制御処理する演出制御用中央制御装置ＣＰＵに、演出に関する固定データが格納された記憶装置ＲＯＭと、必要なデータを読み書きできる記憶装置ＲＡＭと、入力ポート及び出力ポートとが接続されて構成されている。演出制御基板６２の出力ポートには、画像表示器１４を制御する画像制御基板６５、スピーカを制御する音源制御基板６６、及びＬＥＤランプによる演出を制御する光源制御基板６７が接続されている。そして、演出制御基板６２は、主制御基板６０からのコマンド信号が入力ポートに入力されると、演出制御用中央制御装置ＣＰＵにおいて演算処理し、該コマンド信号で指示された演出態様を実行するために、画像制御基板６５、音源制御基板６６、及び光源制御基板６７へ向けてコマンド信号を送信する。
【００４１】
上記の画像制御基板６５には、画像表示器１４の表示態様を制御するための基板回路が設けられる。画像制御基板６５は、演出制御基板６２から入力されたデータ信号又はコマンド信号を演算処理し、所定の表示態様を表示するデータにしたがって表示用ドライバにより画像表示器１４で所定態様を表出させる。
【００４２】
上記の音源制御基板６６には、図示しないスピーカから発生する効果音等を制御するための基板回路が設けられる。この音源制御基板６６は、演出制御基板６２から入力されたデータ信号又はコマンド信号を演算処理し、所定の音データにしたがってサウンドジェネレータによりスピーカで効果音を出力させる。
【００４３】
上記の光源制御基板６７には、遊技機本体３に配設された演出用ランプを制御するための基板回路が設けられている。この光源制御基板６７は、演出制御基板６２から入力されたデータ信号又はコマンド信号を演算処理し、所定の光データにしたがって光源作動基板により各種の演出用ランプを点灯、点滅させる。
【００４４】
上記の図柄制御基板６３には、特別図柄表示装置１５、普通図柄表示装置１６、特別始動記憶数表示装置１７、普通始動記憶数表示装置１８を制御するための基板回路が設けられている。この図柄制御基板６３は、上記の主制御基板６０から入力ポートを介して入力されたデータ信号又はコマンド信号を演算処理し、所定の光データにしたがって図柄作動基板により、各装置のＬＥＤを点灯、点滅させる。
【００４５】
上記の払出制御基板６４には、遊技球の貸球や賞球等の払出しを制御するための基板回路が設けられている。この払出制御基板６４は、主制御基板６０から入力されたデータ信号又はコマンド信号を演算処理し、所定のデータにしたがって球払出装置（図示せず）等の各種ソレノイドを作動し、所定の貸球や賞球の払出しを実行する。また、払出制御基板６４は、プリペイドカードの読込みや書込みを行うプリペイドカードユニットがＣＲ接続基板を介して接続され、遊技球の残球データ等をやり取りする。
【００４６】
上記の発射制御基板６８には、球発射装置３１（図３参照）を制御するための基板回路が設けられている。この発射制御基板６８は、発射ハンドル９からの入力信号に応じた電圧強度で球発射装置３１を駆動することにより、発射ハンドル９の回動角度に応じた強さで遊技球を打圧発射する。
【００４７】
次に、本実施例のパチンコ遊技機１の基本的な作動について説明する。なお、本実施例のパチンコ遊技機１の基本的な作動は、既存のパチンコ遊技機と同様であるため詳細な説明は省略する。
発射ハンドル９の回動操作により発射された遊技球は、遊技盤１０の遊技領域１２を転動流下する。そして、遊技球が、普通電動役物２３の始動口２１へ流入すると、図４の入賞検知処理によって、特別図柄用の各乱数カウンタ（大当りカウンタなど）を抽出し、これら抽出したカウンタ値を一纏めとして特別図柄用の始動記憶（以下、特別始動記憶）を生成する。そして、図５の特別図柄処理では、前記の特別始動記憶を消化して（特別始動記憶消化処理）、特別図柄表示装置１５でＬＥＤが点滅して特別図柄が変動開始し、変動開始から所定時間経過すると、いずれかのＬＥＤを点灯することにより特別図柄が変動停止して停止図柄態様を表示する。このように、特別始動記憶の消化によって特別図柄の変動開始から停止までの一連の特別図柄生成行程を実行する。そして、特別図柄表示装置１５で特別図柄を変動開始すると、これに伴って、画像表示器１４で特別図柄生成行程用の演出画像を表示する。これにより、画像表示器１４では、特別演出図柄（図示せず）が変動表示すると共に、背景演出画像（図示せず）が表示される。
【００４８】
特別図柄表示装置１５で停止表示した特別図柄の停止図柄態様が当りを示す停止図柄態様であると、当りが確定し、図示しない大入賞口処理によって、大入賞口２５を開閉する特別遊技作動を実行する。特別遊技作動は、大入賞口２５を開閉する開閉ラウンドを所定回数実行する作動であり、この実行中に大入賞口２５へ１００個以上の入賞が期待でき、遊技者は多量の賞球を獲得することが可能である。
【００４９】
また、通常、特別図柄生成行程の実行中は、スピーカや演出用ランプが所定態様で作動すると共に、画像表示器１４の表示画面で演出用の図柄が変動する。ここで、表示画面では、場合によって遊技者の大当りへの期待感を高めるための、いわゆるリーチの演出が実行される。かかるリーチ演出を実行する場合には、通常よりも当り態様で確定表示する頻度が高くなるように設定されており、遊技者はリーチ演出により大当りの期待感を高めるとともに、表示画面での多様な演出態様により、演出用図柄の変動停止まで興奮を持続させることができる。
【００５０】
特別始動記憶は、その発生順序に従って一個ずつ消化されることから、特別図柄生成行程の実行中や特別遊技作動の実行中に発生した場合、消化されるまで、記憶装置ＲＡＭに設けられた特別始動記憶領域に記憶保持される。この特別始動記憶領域は、第一〜第四の特別記憶域を備え、各特別記憶域に一個の特別始動記憶を記憶可能となっている。そのため、特別始動記憶領域に記憶可能な特別始動記憶の記憶個数は、最大四個である。そして、第一〜第四の特別記憶域には、発生順序に従って特別始動記憶が夫々記憶される。すなわち、特別始動記憶を記憶していない状態で新たに特別始動記憶が発生すると、当該特別始動記憶を第一特別記憶域に記憶し、次に発生した特別始動記憶を第二特別記憶域に記憶する。このように第一特別記憶域から順次記憶する。一方、特別始動記憶領域に記憶されている特別始動記憶を消化する場合には、必ず第一特別記憶域の特別始動記憶を消化し、第二〜第四特別記憶域に記憶している各特別始動記憶を第一〜第三特別記憶域に夫々シフトして記憶する。これにより、特別始動記憶領域に記憶される特別始動記憶は、常に、その発生順序で第一〜第四特別記憶域に記憶される。そして、第一〜第四特別記憶域の全てに特別始動記憶を記憶している状態（特別始動記憶の記憶数が四個の状態）では、新たな特別始動記憶が発生しない。
【００５１】
そして、特別始動記憶領域の第一〜第四特別記憶域に特別始動記憶を記憶している場合には、その記憶数（未消化数）を、上記した特別始動記憶数表示装置１７のＬＥＤの点灯数によって報知する。
【００５２】
このように特別始動記憶領域に特別始動記憶が記憶されている場合には、図５の特別図柄処理の特別始動記憶消化処理を実行し、第一特別記憶域の特別始動記憶を消化することによって上記の特別図柄生成行程を実行する。すなわち、特別図柄処理の特別始動記憶消化処理では、特別始動記憶領域の第一特別記憶域に記憶されている最先の特別始動記憶を読み込み、該特別始動記憶を構成する大当りカウンタ値を当落判定し、その他のカウンタ値に基づいて特別図柄の停止図柄態様や画像表示器１４で表示する演出画像の画像パターン等を選定する演出パターン処理を行う。そして、特別図柄生成行程では、特別図柄表示装置１５で特別図柄を変動して、該変動開始から所定の行程時間が経過すると、該特別図柄を前記停止図柄態様で確定停止する。さらに、特別図柄の変動に同期して、前記画像パターンに従って演出画像を画像表示器１４で表示する。尚、この演出画像は、特別図柄生成行程を盛り上げる様々な静止画や動画等の画像により構成される。
【００５３】
一方、遊技領域１２を転動流下した遊技球が普通始動ゲート１９を通過すると、図４の入賞検知処理によって普通当りカウンタからカウンタ値が抽出されて上記の普通始動記憶が発生する。この普通始動記憶は、普通図柄の変動中または普通電動役物２３の開閉作動中に生成されると、記憶装置ＲＡＭに設定された普通始動記憶領域に、生成された順番で記憶保持される。この普通始動記憶領域は、第一〜第四の普通記憶域を備え、上述した特別始動記憶領域と同様に、第一普通記憶域から順に普通始動記憶が記憶されていく。そして、普通始動記憶を消化する場合には、第一普通記憶域の普通始動記憶が消化され、第二〜第四普通記憶域に夫々記憶された普通始動記憶が、第一〜第三普通記憶域にシフトして記憶される。このように普通始動記憶は、所定の上限数（４個）を限度として普通始動記憶領域に記憶保持可能となっている。
【００５４】
そして、普通始動記憶領域に普通始動記憶を記憶保持している場合には、該普通始動記憶の記憶数（未消化数）を、上記した普通始動記憶数表示装置１８のＬＥＤの点灯数によって報知する。
【００５５】
このように普通始動記憶が記憶されている場合には、図示しない普通図柄処理を実行して、該普通始動記憶を消化することにより、普通図柄表示装置１６のＬＥＤが点滅して普通図柄が変動開始する。そして、変動開始から所定時間経過すると、普通図柄が変動停止して停止図柄態様を確定する。この停止図柄態様が当りであると、上述したように普通電動役物２３の開閉翼片２４，２４を開放作動して閉鎖位置から開放位置へ傾動し、該開放位置で所定時間保持した後に閉鎖作動して閉鎖位置へ戻す（図示しない普通電動役物処理）。このように普通図柄の停止図柄態様により当り確定した場合に、普通電動役物２３を開閉作動する。
【００５６】
次に、本発明の要部について説明する。
上述したように始動口２１や一般入賞装置２９に遊技球が流入すると、各スイッチＳ１，Ｓ４から球検知信号が出力され、該球検知信号に従って所定個数（５個）の賞球が払い出される。また、上記した特別遊技作動の実行中で、大入賞口２５に遊技球が流入すると、特別入賞スイッチＳ３から球検知信号が出力され、該球検知信号に従って所定個数（１３個）の賞球が払い出される。こうした賞球の払い出しは、上述した主制御基板６０と払出制御基板６４とが入賞検知処理に従って球払出装置（図示せず）を作動制御することにより行う。図４の入賞検知処理では、特別始動スイッチＳ１や一般入賞スイッチＳ４から球検知信号があると、賞球個数５個のコマンドをセットし、賞球払出処理により前記の球払出装置を作動制御して５個の賞球を払い出す。同様に、特別入賞スイッチＳ３から球検知信号があると、賞球個数１３個のコマンドをセットし、賞球払出処理により球払出装置を作動制御して１３個の賞球を払い出す。
【００５７】
さらに、入賞検知処理では、上記の各スイッチＳ１，Ｓ３，Ｓ４から球検知信号があると、払出音発生処理を実行する。払出音発生処理では、上球受皿７の払出口から賞球が払い出されるタイミングに合わせて、図示しないスピーカから払出擬似ベル音を発生させる。払出擬似ベル音は、かなり過去のパチンコ遊技機で配設されたベルにより発生させていたベル音を、電子音により疑似的に再現させた音である。
【００５８】
ここで、かなり過去のパチンコ遊技機では、上球受皿の払出口の近傍にベルが配設されており、該払出口から賞球が払い出される際に、該賞球がベルに当たることによって「チャリン、チャリン」というベル音が発生するようになっていた。一方、近年のパチンコ遊技機にあっては、上球受皿の払出口に前記ベルが配設されていない。これは、機台の部品点数が増加したことによって、前記ベルの設置スペースが無く、該ベルを設定できないことに因る。さらに、近年のパチンコ遊技機は、上記した特別遊技作動が実行される場合にのみ、賞球の著しい増加を見込める一方、該特別遊技作動が実行されない状況では賞球の獲得個数よりも遊技球の消費の方が多くなる。そのため、特別図柄の当りが発生しなければ、賞球の増加が得られない。そして、特別図柄による当落の決定や特別遊技作動等を含む遊技進行のほとんどをコンピュータ制御している。これにより、賞球の増加は遊技進行によって推測できるため、個別の賞球が払い出されることに対する意義が薄れ、前記した賞球の払い出し音を発生させる必要性が著しく低下している。こうしたことから、近年のパチンコ遊技機は、賞球の払出音を発生させる機能を有していない。しかしながら、賞球の際のベル音は、遊技者が払出口を目視することなく、賞球の発生をはっきりと知得できること、さらに、賞球という利益を獲得する時点でベル音が無ければ、なんとなく味けもない。そのため、パチンコ遊技の原点回帰する意味合いを有し、過去のパチンコ遊技を懐かしむ感情を遊技者に誘起させると共に賞球の払い出しをあじわい深いものとするために、本実施例のパチンコ遊技機１では、賞球の際のベル音を前記払出擬似ベル音により再現している。
【００５９】
本実施例の構成では、上記した過去のベル音の「チャリン、チャリン」を電子音により再現する音データを作成して記憶し、上記した払出音発生処理が、該音データに従って払出擬似ベル音（「チャリン、チャリン」）を上記のスピーカから発生させる。この音データとして、賞球個数が５個の場合に選択する音データと１３個の場合に選択する音データとを夫々設定しており、払出音発生処理では、賞球個数に応じた音データが選択されて各音データによる払出擬似ベル音を発生させる。具体的には、賞球個数５個の場合に選択される音データとして「チャリン、チャリン」が設定され、賞球個数１３個の場合に選択される音データとして「チャリン、チャリン、・・・、チャリン、チャリン」（「チャリン」を５回連続する音）が設定されている。こうして賞球個数に応じて、「チャリン」音の発生する回数（出力回数）が異なる二種類の払出擬似ベル音を発生させることによって、遊技者に賞球の払出個数を暗示させることができる。
【００６０】
一方、図４の入賞検知処理では、上述したように、遊技球の始動口２１への流入に伴って特別始動記憶を記憶する毎に、特別始動記憶の未消化数Ｐを増加し、図５の特別図柄処理では、記憶した特別始動記憶を消化する毎に、該未消化数Ｐを減算する。そして、本実施例では、特別始動記憶の未消化数Ｐ＝４となると、図６の先読み判定処理を実行して予見発生フラグ＝１とし、図５の特別図柄処理で特別始動記憶を消化して該未消化数Ｐ＜４となると、予見発生フラグ＝０とする。すなわち、特別始動記憶の未消化数Ｐ＝４の状態でのみ、予見発生フラグ＝１とする。
【００６１】
図６の先読み判定処理では、特別始動記憶の未消化数Ｐ＝４となると、上記した記憶装置ＲＡＭの特別始動記憶領域に記憶保持されている全ての特別始動記憶を、第一特別記憶域から順に読み込み、夫々の大当りカウンタ値を当落判定する。そして、当落判定の結果が当りであった場合には、当り判定した特別始動記憶を消化する順番を、特別当選順位値として取得し、予見発生フラグ＝１として先読み判定処理を終了する。一方、当落判定の結果がハズレであった場合には、当該特別始動記憶のリーチカウンタ値によりリーチ演出の実行有無を判定し、リーチ演出有りを判定すると、当該判定した特別始動記憶を消化する順番を、リーチ消化順位値として取得する。そして、次の消化順位の特別記憶域の特別始動記憶を読み込み、同様に大当りカウンタ値の当落判定やリーチカウンタ値の判定を行う。こうした先読み判定処理では、第一特別記憶域から特別始動記憶を順次先読みしていき、大当りカウンタ値を当り判定すると、これ以降の特別記憶域を先読みしないと共に、これよりも消化順番が前の特別始動記憶で取得したリーチ消化順位値を破棄する。また、第四特別記憶域まで全て先読みし、特別当選順位値を取得していない場合（全てハズレ判定した場合）には、取得したリーチ消化順位値の最も小さいもののみを有効として、これ以外のリーチ消化順位値を破棄する。このように本実施例の先読み判定処理では、特別当選順位値とリーチ消化順位値とのいずれか一方かつ一個のみを設定できる。
【００６２】
尚ここで、特別始動記憶を当り判定した場合には、特別当選順位値が設定され、リーチ消化順位値＝０となる。また、特別始動記憶を全てハズレ判定し且ついずれかでリーチ演出の実行を判定した場合には、リーチ消化順位値が設定され、特別当選順位値＝０となる。さらに、全ての特別始動記憶をハズレ判定しかつリーチ演出の実行無しを判定した場合には、特別当選順位値＝０かつリーチ消化順位値＝０となる。
【００６３】
上記の予見発生フラグ＝１の状態で、始動口２１に遊技球が流入すると、図４の入賞検知処理では、特別始動スイッチＳ１からの球検知信号の入力に伴って、賞球払出処理と予見音発生処理とを実行する。予見音発生処理では、上球受皿７の払出口から賞球が払い出されるタイミングに合わせて、予見電子音を上記のスピーカから発生させる。すなわち、予見発生フラグ＝１の状態で始動口２１に遊技球が流入すると、この賞球の払い出しに合わせて予見電子音が発生する。ここで、予見電子音としては、上記の払出擬似ベル音と出力態様が異なるものであり、例えば、音の出力間隔が異なるもの、音の出力回数が異なるもの、音質が異なるもの、音自体が全く異なるもの等を適用できる。本実施例では、予見電子音として、払出擬似ベル音と音自体が全く異なるものを設定しており、さらに、相互に異なる予見電子音を発生させる音データを四個設定している。この四個の各音データとして、具体的には、「ブー、ブー」、「ピー、ピー」、「ポロン、ポロン」、「カラン、カラン」を設定している。そして、これら四個の音データは、上述した特別始動記憶の消化順番に対応付けられて設定されており、上記の先読み判定処理で設定した特別当選順位値またはリーチ消化順位値に従って選択される。すなわち、選択された音データにより発生する予見電子音によって、先読み判定処理により当り判定した特別始動記憶の消化順番またはリーチ演出を実行する特別始動記憶の消化順番が示される。例えば、特別始動記憶の消化順番が１番には、予見電子音「ブー、ブー」を発生する音データが対応付けられており、特別当選順位値＝１またはリーチ消化順位値＝１の場合に当該音データが選択される。同様に、特別始動記憶の消化順番が２番には、予見電子音「ピー、ピー」の音データが対応付けられており、特別当選順位値＝２またはリーチ消化順位値＝２の場合に当該音データが選択される。また、特別始動記憶の消化順番が３番には、予見電子音「ポロン、ポロン」の音データが対応付けられており、特別当選順位値＝３またはリーチ消化順位値＝３の場合に当該音データが選択される。また、特別始動記憶の消化順番が４番には、予見電子音「カラン、カラン」の音データが対応付けられており、特別当選順位値＝４またはリーチ消化順位値＝４の場合に当該音データが選択される。
【００６４】
尚、本実施例の構成にあって、上記した入賞検知処理では、満杯エラーなどが発生している状態で（エラーフラグ＝１）、各スイッチＳ１，Ｓ３，Ｓ４から球検知信号があった場合に、上記した払出音発生処理と予見音発生処理とを実行しない。すなわち、本実施例では、遊技球の入賞に伴って賞球の払出音を発生させるようにしていることから、満杯エラーなどで賞球を払い出しできない場合に、払出擬似ベル音や予見電子音が発生しないようにしている。
【００６５】
次に、上述した払出擬似ベル音および予見電子音の発生を、遊技の進行に従って説明する。
例えば、特別始動記憶の未消化数＝３の状態で、遊技領域１２を転動流下した遊技球が始動口２１に流入すると、図４の入賞検知処理では、特別始動スイッチＳ１からの球検知信号に従って大当りカウンタ値やリーチカウンタ値を抽出して、これらを纏めた特別始動記憶を上記した特別始動記憶領域の第四特別記憶域に記憶し、特別始動記憶の未消化数Ｐ＝４とする。さらに、特別始動スイッチＳ１からの球検知信号に従って、賞球個数５個をセットし、払出音発生処理を実行して、５個の賞球を払い出すタイミングに合わせて払出擬似ベル音（「チャリン、チャリン」）を上記のスピーカ（図示せず）から発生させる。
【００６６】
上記のように特別始動記憶の未消化数Ｐ＝４となると、先読み判定処理を実行し、特別始動記憶領域の第一〜第四特別記憶域に記憶されている特別始動記憶を順に先読みする。すなわち、第一特別記憶域から順に、特別始動記憶を読み込んで、該特別始動記憶の大当りカウンタ値を当落判定する。そして、大当りカウンタ値を当り判定した場合には、該当り判定した特別始動記憶の消化順番を示す特別当選順位値を取得し、予見発生フラグ＝１として先読み判定処理を終了する。一方、先読み判定処理では、特別始動記憶の大当りカウンタ値をハズレ判定した場合に、当該特別始動記憶のリーチカウンタ値によりリーチ演出の実行有無を判定する。そして、リーチカウンタ値によりリーチ演出の実行有りを判定した場合には、当該判定した特別始動記憶の消化順番を示すリーチ消化順位値を取得して、次の特別記憶域の特別始動記憶を先読みする。
【００６７】
ここで、例えば、第二特別記憶域に記憶された特別始動記憶を先読みした結果、リーチ演出有りを判定した場合には、リーチ消化順位値＝２とし、さらに、第四特別記憶域に記憶された特別始動記憶を先読みした結果、大当りカウンタ値を当り判定した場合には、特別消化順位値＝４とする。そして、先に取得したリーチ消化順位値を破棄し、特別消化順位値＝４かつリーチ消化順位値＝０として、予見発生フラグ＝１とする。
【００６８】
この後、第一特別記憶域に記憶された特別始動記憶が次に消化されるまでの間で、上記の予見発生フラグ＝１と特別消化順位値＝４とを維持する。この状態で、遊技球が始動口２１に流入することにより特別始動スイッチＳ１から球検知信号を入力すると、図４の入賞検知処理では、特別始動記憶の未消化数Ｐ＝４であることから、新たな特別始動記憶を発生せずに、賞球個数５個のコマンドをセットする。そして、予見発生フラグ＝１であることから、予見音発生処理を実行し、特別消化順位値＝４に従って特別始動記憶の消化順番に対応付けられた音データ（「カラン、カラン」）を選択して、該音データに従って「カラン、カラン」という予見電子音を、賞球を払い出すタイミングに合わせて上記のスピーカから発生させる。同様に、この予見発生フラグ＝１が維持されている状態で、始動口２１に遊技球が流入する毎に、賞球の払い出しに合わせて同じ予見電子音を発生させる。このように特別始動記憶の消化順番に対応付けられた予見電子音が賞球の払い出しにあわせるように発生することから、該予見電子音の発生によって、遊技者は四番目に消化される特別始動記憶を当り予見することが可能である。
【００６９】
尚、予見発生フラグ＝１の状態であっても、始動口２１に遊技球が流入しなければ、予見音発生処理を実行しない。そして、一般入賞装置２９や大入賞口２５に遊技球が流入した場合には、その賞球の払い出しに合わせて払出擬似ベル音が発生する。
【００７０】
こうした予見発生フラグ＝１の状態で、図５の特別図柄処理が、第一特別記憶域に記憶された特別始動記憶を消化すると、特別始動記憶の未消化数Ｐ＝３となることから、該予見発生フラグ＝０として、特別消化順位値（およびリーチ消化順位値）をリセットする。予見発生フラグ＝０となると、始動口２１に遊技球が流入した場合に、これに伴う賞球の払い出しに合わせて払出擬似ベル音を発生させる。
【００７１】
一方、特別始動記憶の未消化数Ｐ＝３の状態で、新たに始動口２１に遊技球が流入して、該未消化数Ｐ＝４となると、図６の先読み判定処理を実行して、特別始動記憶の先読みを行う。この先読み判定処理により、例えば、特別消化順位値＝０かつリーチ消化順位値＝３を設定した場合には、予見発生フラグ＝１の状態で、始動口２１に遊技球が流入すると、リーチ消化順位値に従って音データ（「ポロン、ポロン」）を選択し、賞球の払い出しに合わせて、「ポロン、ポロン」の予見電子音を発生する。この予見電子音の発生により、遊技者は三番目に消化される特別始動記憶を当り予見できる。
【００７２】
さらに一方、始動口２１への遊技球流入により特別始動記憶の未消化数Ｐ＝４となることによって、上記した先読み判定処理を実行し、全ての特別始動記憶をハズレ判定し且つリーチ演出無しを判定した場合には、予見発生フラグ＝０を維持し、特別消化順位値＝０かつリーチ消化順位値＝０を維持する。この状態では、新たに始動口２１に遊技球が流入しても、払出音発生処理を実行して、賞球の払い出しに合わせて払出擬似ベル音が発生する。
【００７３】
上述した本実施例の構成にあっては、賞球の払い出しに合わせて払出擬似ベル音を発生させることにより、遊技中に画像表示器１４の表示画面を注視する遊技者に、賞球という利益の発生を知らせることができ、遊技者の満足感や喜悦感を刺激できる。ここで、払出擬似ベル音は、上述したように過去のパチンコ遊技機で賞球の払い出し時に発生していたベル音を、電子音により疑似的に再現したものであることから、レトロ感を醸し出すことができ、懐かしさや味わい深い印象を遊技者に想起させることができる。さらに、特別始動記憶の未消化数Ｐが上限数（四個）に達している状態で、未消化の特別始動記憶の中に当りやリーチのものがある場合には、始動口２１への遊技球流入による賞球の払い出しに合わせて予見電子音を発生させ、該当りやリーチの発生を遊技者に予見させるようにしているから、遊技の進行中に演出画像を注視する遊技者に、該予見電子音を聞き取ろうとする意識を想起させることができる。これにより、遊技者の視覚と聴覚とを効果的に刺激して、従来に無い興趣溢れる遊技を提供できる。また、予見電子音は、特別始動記憶の未消化数が満杯（四個）の状態で、さらに始動口２１への遊技球流入を必要とすることから、遊技者は、当り予見の報知を得るために、新たな特別始動記憶を発生しない所謂ムダ球を発射しなければならない。そのため、ムダ球の発生を抑制するために行われ易い遊技球の発射停止行為を、抑制することができる。これにより、発射停止行為により生ずる機台の稼働率低下を抑制することができる。
【００７４】
尚、本実施例にあって、特別図柄表示装置１５により、本発明にかかる図柄表示装置が構成されており、特別始動スイッチＳ１により、本発明にかかる始動口の球検知手段が実現されている。また、特別始動記憶により、本発明にかかる始動記憶が実現されている。また、主制御基板６０により、本発明にかかる始動記憶生成手段、遊技制御手段、および先読み判定手段が構成されている。また、主制御基板６０および払出制御基板６４によって、本発明にかかる払出制御手段が構成されており、主制御基板６０および演出制御基板６２（音源制御基板６６）によって、本発明にかかる払出音発生制御手段が構成されている。また、主制御基板６０および図柄制御基板６３により、本発明にかかる図柄制御手段が構成されている。また、本発明の予見条件が、特別始動記憶の未消化数が上限（四個）に達することにより成立するものとして設定され、本発明の予見終了条件が、該特別始動記憶の未消化数が上限（四個）から減算されることにより成立するものとして設定されている。そして、特別始動記憶の未消化数の上限（四個）が、本発明にかかる閾個数値として設定されている。
【００７５】
上述した本実施例の構成にあっては、予見電子音を、払出擬似ベル音と音自体が異なる電子音により設定したものであるが、これに限定されず、音の出力間隔が異なるもの、音の出力回数が異なるもの、音質が異なるもの等を適宜設定することができる。また、本実施例では、互いに異なる四個の予見電子音を特別始動記憶の消化順番に対応付けて設定したものであるが、これに限らず、例えば、各消化順番に夫々対応付けた複数の予見電子音を設定し、各消化順番毎にいずれかの予見電子音を選択するようにしても良い。さらにまた、特別始動記憶の消化順番と無関係に複数の予見電子音を設定し、いずれか選択して発生させるようにしても良いし、一の予見電子音を設定して、常に当該予見電子音を発生させるようにしても良い。
【００７６】
また、上述した本実施例の構成では、予見条件を特別始動記憶の未消化数が上限（四個）となることにより成立し、予見終了条件を該未消化数が上限から減算されることにより成立するようにしたものであるが、これに限らず、予見条件および予見終了条件を適宜設定できる。例えば、予見条件を特別始動記憶の未消化数が三個となることにより成立し、該三個から減算されることにより予見終了条件が成立するように設定しても良い。又は、予見条件を特別始動記憶の未消化数が上限となることにより成立し、予見終了条件が、予見条件の成立から所定時間経過することにより成立するものとしたり、始動口に遊技球が流入することにより成立するもの等として設定することもできる。
【００７７】
また、上述した本実施例の構成では、予見条件の成立に伴って未消化の特別始動記憶を先読みするようにしたものであるが、これに限らず、例えば、特別始動記憶が発生する毎に先読みするようにしても良い。
【００７８】
また、上述した実施例の構成では、賞球個数に応じて払出擬似ベル音を選択して実行するようにしたが、これに限らず、賞球個数に関わらず、同じ払出擬似ベル音を発生させるようにしても良い。
【００７９】
本発明にあっては、上述した実施例に限定されるものではなく、上述の実施例以外の構成についても本発明の趣旨の範囲内で適宜変更して実施可能である。
【符号の説明】
【００８０】
１  パチンコ遊技機
１５  特別図柄表示装置（図柄表示装置）
２１  始動口
２５  大入賞口
Ｓ１  特別始動スイッチ（球検知手段）
【図１】
2016083183.tif 000003
【図２】
2016083183.tif 000004
【図３】
2016083183.tif 000005
【図４】
2016083183.tif 000006
【図５】
2016083183.tif 000007
【図６】
2016083183.tif 000008